(57)【要約】【課題】トラップを内蔵するトラップケースの前後幅をコンパクトに形成でき、尚且つ、便器本体のボウル部の喫水面の高さも確保することができるターントラップ式水洗便器を提供すること。【解決手段】便器本体１０のボウル部１１の排出口１２に、変形可能なトラップ３の上流端開口部３０を連通接続し、回動機構４によってトラップ３の下流端開口部３１を上下に回動自在とするターントラップ式水洗便器１において、下流端開口部３１が上方を向いた状態で下流端開口部３１の回動半径Ｒを大きくする伸長機構を備える。【選択図】図１
2013023920.tif 000002
【特許請求の範囲】
【請求項１】
便器本体のボウル部の排出口に、変形可能なトラップの上流端開口部を連通接続し、回動機構によって前記トラップの下流端開口部を上下に回動自在とするターントラップ式水洗便器において、
前記下流端開口部が上方を向いた状態で前記下流端開口部の回動半径を大きくする伸長機構を備えることを特徴とするターントラップ式水洗便器。
【請求項２】
前記伸長機構で前記下流端開口部の回動半径を大きくして、前記ボウル部に水を溜めることで形成される喫水面よりも、上方を向いた状態の前記下流端開口部を高くしたことを特徴とする請求項１に記載のターントラップ式水洗便器。
【発明の詳細な説明】
【技術分野】
【０００１】
本発明は、トラップの下流端を下方に回動させることで、便器本体のボウル部内に溜めた水を排出するターントラップ式水洗便器に関するものである。
【背景技術】
【０００２】
従来から、図４に示すような、トラップ３の下流端開口部３１を下方に回動させることで、便器本体１０のボウル部１１内に溜めた水を排出するターントラップ式水洗便器９が知られている（特許文献１等参照）。
【０００３】
このターントラップ式水洗便器９では、便器本体１０のボウル部１１の排出口１２に、トラップ３の上流端開口部３０が連通接続されている。トラップ３は、変形可能なものであり、トラップケース２内に設けられている。トラップケース２には回動機構９０を設けており、この回動機構９０によってトラップ３の下流端開口部３１は上下に回動される。トラップ３の下流端開口部３１は、図４の仮想円Ｃ１に示すように、回動半径Ｒ２の円軌跡を描いて上下に回動する。この回動半径Ｒ２は、上方を向いた状態（図４の実線部参照）のトラップ３の下流端開口部３１の最下部３２が、ボウル部１１の底部より所定の高さｈだけ高くなるように設定されている。
【０００４】
このターントラップ式水洗便器９では、上方を向いた状態の下流端開口部３１から若干オーバーフローする程度の量の水がボウル部１１に供給されて、ボウル部１１に所定の高さｈの喫水面Ｓが形成される。
【先行技術文献】
【特許文献】
【０００５】
【特許文献１】特開２００５−１５５１４６号公報
【発明の概要】
【発明が解決しようとする課題】
【０００６】
上述したターントラップ式水洗便器９では、トラップ３の下流端開口部３１が回動半径Ｒ２の円軌跡を描くことができる空間をトラップケース２内に設けなければならない。そのため、トラップケース２の前後幅を短くすることが困難であるという問題があった。
【０００７】
ここで、トラップケース２の前後幅を短くするためには、例えば回動半径Ｒ２を短くすることが考えられる。しかし、その場合、上方を向いた状態の下流端開口部３１の高さが低くなってしまい、ボウル部１１の喫水面Ｓの高さｈを低くせざるを得ないという問題が生じる。また、上方を向いた状態の下流端開口部３１から水のオーバーフローが生じ、節水が不十分であるという問題があった。
【０００８】
そこで、上記問題を解決するため、本発明は、トラップを内蔵するトラップケースの前後幅をコンパクトに形成でき、尚且つ、便器本体のボウル部の喫水面の高さも確保することができ、また、水のオーバーフローが生じにくいターントラップ式水洗便器を提供することを課題とする。
【課題を解決するための手段】
【０００９】
上記課題を解決するための本発明のターントラップ式水洗便器は、便器本体のボウル部の排出口に、変形可能なトラップの上流端開口部を連通接続し、回動機構によって前記トラップの下流端開口部を上下に回動自在とするターントラップ式水洗便器において、前記下流端開口部が上方を向いた状態で前記下流端開口部の回動半径を大きくする伸長機構を備えることを特徴とする。
【００１０】
また、前記伸長機構で前記下流端開口部の回動半径を大きくして、前記ボウル部に水を溜めることで形成される喫水面よりも、上方を向いた状態の前記下流端開口部を高くすることが好ましい。
【発明の効果】
【００１１】
本発明のターントラップ式水洗便器は、トラップを内蔵するトラップケースの前後幅をコンパクトに形成でき、尚且つ、便器本体のボウル部の喫水面の高さも確保することができ、また、節水性も高くなる。
【図面の簡単な説明】
【００１２】
【図１】本発明の実施形態のターントラップ式水洗便器を示す側面断面図である。
【図２】同上のターントラップ式水洗便器の伸長機構を示す側面断面図である。
【図３】同上の伸長機構を示し、（ａ）は図２のＡ−Ａ´線における断面図であり、（ｂ）は図２のＢ−Ｂ´線における断面図である。
【図４】従来のターントラップ式水洗便器を示す側断面図である。
【発明を実施するための形態】
【００１３】
以下、本発明を添付図面に示す実施形態に基づいて説明する。
【００１４】
本実施形態のターントラップ式水洗便器１は、図１に示すように、洋式便器本体１０のボウル部１１に接続した排水用のトラップ３を上下に回動させて、ボウル部１１に水を溜める状態と、この溜めた水及び排泄物を外部に排出する状態とを入れ替えるものである。
【００１５】
詳しくは、トイレ室等の床面に載置される便器本体１０の前部には、上方に向けて開口するボウル部１１を備えている。ボウル部１１の底部には、後方に向けて開口する排出口１２が設けられている。そして、ボウル部１１の後方には、排水用のトラップ３を内蔵したトラップケース２が配設されている。なお、図示していないが、ボウル部１１上方の便器本体１０上部には、便座と便蓋が回動自在に取り付けられており、その後方には、機能ケース（局部洗浄ノズル、温風装置、脱臭装置、給水装置、加温装置や、これらを制御する制御装置等を内蔵したもの）が取り付けられている。
【００１６】
トラップ３は、蛇腹状の管状体であり、屈曲柔軟性を有し、変形可能である。本実施形態ではさらに、トラップ３の上流端と下流端とが近づく方向（縮む方向）に付勢力が働くようにトラップ３自体を形成している。なお、ばね等の他の手段でトラップ３に対して縮む方向に付勢力を付与するようにしてもかまわない。
【００１７】
トラップケース２は、中空の箱体であり、その前壁には、開口部２０が前後に貫通するように設けられている。開口部２０からは、トラップ３の前端部である上流端開口部３０が前方に突出している。上流端開口部３０は、トラップケース２内の空気や液体が外部に流出しないように開口部２０にシール状態で固定されている。そして、この上流端開口部３０がボウル部１１の排出口１２に連通接続している。また、トラップケース２の下壁には、排出孔２１が上下に貫通するように設けられている。排出孔２１には、外部の下水に繋がる排出管（図示せず）が接続されている。また、トラップケース２の側壁には、トラップ３の下流端開口部３１を上下に回動させる回動機構４が設けられている。
【００１８】
回動機構４は、回動中心となる回動中心軸部４０と、トラップ３の下流端開口部３１を保持するトラップ保持部４１と、回動中心軸部４０とトラップ保持部４１とを連結する連結部４２と、回動中心軸部４０を回転させるモータ（図示せず）とから構成されている。回動中心軸部４０は、トラップケース２の側壁に回転自在に取り付けられており、モータによって回転される。トラップケース２内側に突出した回動中心軸部４０の端部には連結部４２の基端部が固定されている。そして、連結部４２の先端部にはトラップ保持部４１が固定されている。トラップ保持部４１は、円環状であり、トラップ３の下流端開口部３１の外周に固定されている。回動機構４は、図１の実線部で示す下流端開口部３１が上方を向く上方停止位置と、図１の２点鎖線部で示す下流端開口部３１が下方を向く下方停止位置との間で、トラップ３の下流端開口部３１を上下に回動させる。なお、この上方停止位置と下方停止位置はトラップケース２の形状等に合わせて適宜設定される。
【００１９】
回動機構４はさらに、トラップ３の下流端開口部３１が上方を向いた状態、つまり下流端開口部３１が上方停止位置に停止した状態では、下流端開口部３１の回動半径Ｒが大きくなる伸長機構５を備える。
【００２０】
伸長機構５は、図２に示すように、トラップ保持部４１に一端部が固定されたシャフト部５１と、回動中心軸部４０に固定され、シャフト部５１の進退方向を規制するガイド筒部５２と、シャフト部５１の他端が外周面に押し当たるカム部５０とから構成される。なお、このシャフト部５１とガイド筒部５２とで上述の連結部４２が構成されている。このガイド筒部５２が回動中心軸部４０を中心に回動し、ガイド筒部５２に進退方向が規制されるシャフト部５１の他端がカム部５０の外周面に押されることで、回動中心軸部４０から離接する方向にトラップ３の下流端開口部３１は進退する。そのため、トラップ３の下流端開口部３１は、カム部５０の外周面に沿った軌跡を描くように上下に回動する。
【００２１】
カム部５０の外周面は、回動中心軸部４０の水平方向後方に位置する部分が最も後方に位置している。そして、カム部５０の外周面は、回動中心軸部４０の上方停止位置方向に位置する部分が、その水平方向後方に位置する部分よりも回動中心軸部４０から離れている。そして、カム部５０の外周面の、回動中心軸部４０の水平方向後方に位置する部分と、回動中心軸部４０の上方停止位置方向に位置する部分との間の部分は、なだらかな放物線状となっている。これにより、水平方向後方に向けて開口する水平後方位置にあるときの下流端開口部３１が最も後方に位置する。そして、この水平後方位置にあるときよりも上方停止位置にあるときの下流端開口部３１のほうが回動中心軸部４０から離れる。つまり、下流端開口部３１は、水平後方位置にあるときよりも、上方停止位置にあるときのほうが回動半径Ｒが大きくなる。そのため、下流端開口部３１を前後方向の幅が狭い範囲で回動させたうえで、上方停止位置にあるときの下流端開口部３１の位置を高くして、便器本体１０のボウル部１１の喫水面Ｓの高さを確保することができる。しかして、トラップ３を内蔵するトラップケース２の前後幅を狭くして、便器本体１０をコンパクトに形成することができる。また、トラップケース２の前後幅を狭くしない場合には、長さの長いトラップ３を収納することができるため、上方停止位置にあるときの下流端開口部３１の高さを高くすることができ、下流端開口部３１からのオーバーフロー水を減らすことができる。
【００２２】
以上のように水平後方位置にあるときの下流端開口部３１が最も後方に位置し、そのときよりも上方停止位置にあるときのほうが下流端開口部３１の回動半径Ｒが長くなるようにするため、カム部５０を下半部が半円形で上半部が半楕円形の略円柱体で形成している。
【００２３】
詳しくは、カム部５０は、図２に示すように、下半部が半径ｒ１の半円形を成し、上半部が長径の半径ｒ２（ｒ１＜ｒ２）の半楕円形を成しており、中心に回動中心軸部４０が回転自在に取り付けられている。カム部５０は、図３に示すように、トラップケース２の側壁を内側に突出させて形成している。なお、トラップケース２の側壁の内側に、別体のカム部５０を固定するようにしてもかまわない。
【００２４】
本実施形態では、図３（ａ）に示すように、トラップ３の下流端開口部３１が水平後方位置から下方停止位置にある間、シャフト部５１の先端５５が、カム部５０の半円形部分の外周面に押し当たる。これにより、下流端開口部３１が水平後方位置から下方停止位置にある間、下流端開口部３１は回動半径Ｒ２の円軌跡を描くように回動される。
【００２５】
そして、トラップ３の下流端開口部３１が水平後方位置から上方停止位置にある間、シャフト部５１の先端５５が、カム部５０の半楕円形部分の外周面に押し当たる。これにより、下流端開口部３１が水平後方位置から上方停止位置へ向かう間、トラップ３の下流端開口部３１は回動半径ＲがＲ２からＲ１（Ｒ１＞Ｒ２）へと徐々に近づく楕円軌跡を描くように回動される。ここで、この楕円軌跡は、回動半径Ｒ１の円軌跡の後端よりも前方で描かれる。なお、図３（ｂ）は、下流端開口部３１が上方停止位置にあるときの状態を示している。
【００２６】
トラップ３の下流端開口部３１は、上方停止位置に停止した状態で、その最下部３２が、ボウル部１１の底部からの所定の高さｈ（例えばｈ＝５０ｍｍ）よりさらに高くなるように、伸長機構５により伸長される。なお、上方停止位置は、図１の実線部に示す下流端開口部３１が斜め後上方に向かって開口する位置に限らない。つまり、上方停止位置は、トラップケース２の形状等に合わせて、下流端開口部３１が鉛直上向きに開口する位置であってもよいし、下流端開口部３１が鉛直上向きよりもさらに前方に開口する位置であってもよい。いずれの場合も、上方停止位置にある下流端開口部３１の最下部３２がボウル部１１の底部からの所定の高さｈよりさらに高くなるように、伸長機構５によって伸長させる。
【００２７】
上述した構成の本実施形態のターントラップ式水洗便器１は、例えば以下のように動作する。
【００２８】
まず、便器本体１０または外部に設けたスイッチ（図示せず）を押すと、回動機構４のモータが駆動して、トラップ３の下流端開口部３１が上方停止位置（図１の実線部参照）から下方停止位置（図１の２点鎖線部参照）へと回動される。この下方停止位置で、ボウル部１１及びトラップ３に溜まっていた水及び排泄物が、下流端開口部３１からトラップケース２の排出孔２１を介して外部の下水に繋がる排出管に排出される。所定時間が経過し、水及び排泄物が下流端開口部３１から排出されると、回動機構４のモータが駆動して、トラップ３の下流端開口部３１が下方停止位置から上方停止位置へと回動される。このとき、トラップ３の下流端開口部３１が水平方向後方に向いて開口する水平後方位置から、上方停止位置まで回動する際に、伸長機構５によって、下流端開口部３１の回動半径ＲがＲ２からＲ１へと徐々に伸長される。下流端開口部３１が上方停止位置に停止した状態で、トラップ３の下流端開口部３１の高さが、ボウル部１１の底部からの所定の高さｈよりさらに高くなるように伸長される。そして、ボウル部１１に水が供給され、ボウル部１１及びトラップ３内に所定の高さｈの喫水面Ｓが形成される。
【００２９】
以上まとめると、本実施形態のターントラップ式水洗便器１は、便器本体１０のボウル部１１の排出口１２に、変形可能なトラップ３の上流端開口部３０を連通接続したものである。そして、回動機構４によってトラップ３の下流端開口部３１を上下に回動自在とするものである。そして、下流端開口部３１が上方を向いた状態で下流端開口部３１の回動半径Ｒを大きくする伸長機構を備えるものである。
【００３０】
このような構成としたことで、本実施形態のターントラップ式水洗便器１は、トラップ３の下流端開口部３１が後方を向く状態では、回動半径Ｒを小さくし、トラップ３の下流端開口部３１が上方を向いた状態では、回動半径Ｒを大きくすることができる。そして、トラップ３の下流端開口部３１が上方を向いた状態、すなわち、ボウル部１１に水を溜める際に、この下流端開口部３１の高さを、ボウル部１１に形成する所定の高さの喫水面と、同じ高さにすることができ、オーバーフロー水を減らすことができる。
【００３１】
これにより、本実施形態のターントラップ式水洗便器１は、トラップ３を内蔵するトラップケース２の前後幅をコンパクトに形成でき、尚且つ、便器本体１０のボウル部１１の喫水面の高さを確保することができ、また、節水性も高くなる。
【００３２】
また、本実施形態のターントラップ式水洗便器１は、伸長機構５で下流端開口部３１の回動半径Ｒを大きくして、ボウル部１１に水を溜めることで形成される喫水面よりも、上方を向いた状態の下流端開口部３１を高くしたものである。
【００３３】
このような構成としたことで、本実施形態のターントラップ式水洗便器１は、ボウル部１１に所定の高さの喫水面を形成するために必要な水量よりも多少多い水量の水を、ボウル部１１に供給した場合でも、トラップ３の下流端開口部３１からその多い分の水がオーバーフローすることを抑制できる。
【００３４】
これにより、本実施形態のターントラップ式水洗便器１は、ボウル部１１に溜める水が、トラップ３の下流端開口部３１から無駄にオーバーフローしてしまうことを抑制した節水可能なものとなっている。
【００３５】
なお、上述した本実施形態では、カム部５０として、上半部が半楕円形を成し下半部が半円形を成すものを用いたが、この形状に限定されない。つまりカム部５０は、外周面のうち、回動中心軸部４０の水平方向後方に位置する部分が最も後方に位置し、回動中心軸部４０の上方停止位置方向に位置する部分が、その部分より回動中心軸部４０から離れていれば、他の形状であってもよい。
【００３６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３７】
１      ターントラップ式水洗便器
１０    便器本体
１１    ボウル部
１２    排出口
３      トラップ
３０    上流端開口部
３１    下流端開口部
４      回動機構
Ｒ      回動半径
Ｓ      喫水面
【図１】
2013023920.tif 000003
【図２】
2013023920.tif 000004
【図３】
2013023920.tif 000005
【図４】
2013023920.tif 000006